(57)【要約】【課題】搬送経路に沿って搬送される原稿の一方の面の画像を読み取ってその画像に対応するアナログの読取信号を出力する第１画像読取部と、上記搬送経路に沿って搬送される上記原稿の他方の面の画像を読み取ってその画像に対応するアナログの読取信号を出力する第２画像読取部とを備えた画像読取装置において、各画像読取部からの読取信号をＡ／Ｄ変換可能なアナログフロントエンド部を削減して装置の製造コストを低減すること。【解決手段】３チャンネルの表面用ＣＩＳ２３２はアナログの読取信号ＡＯ１＿ＦＳ，ＡＯ２＿ＦＳ，ＡＯ３＿ＦＳを出力し、１チャンネルの裏面用ＣＩＳ２１２は読取信号ＡＯ＿ＢＳを出力する。アナログスイッチ３８７は読取信号ＡＯ＿ＢＳ，ＡＯ３＿ＦＳの一方をＡＦＥ３９０に入力し、アナログスイッチ３８９は読取信号ＡＯ２＿ＦＳ，ＡＯ１＿ＦＳの一方をＡＦＥ３９０（アナログフロントエンド部）に入力する。【選択図】図２
2011217034.tif 000002
【特許請求の範囲】
【請求項１】
複数のチャンネルからのアナログの読取信号をＡ／Ｄ変換可能なアナログフロントエンド部と、
搬送経路に沿って搬送される原稿の一方の面の画像を読み取ってその画像に対応するアナログの読取信号を１つのチャンネルから出力する第１画像読取部と、
上記アナログフロントエンド部がＡ／Ｄ変換可能なチャンネル数と同数のチャンネルを有し、そのチャンネル毎に上記搬送経路に沿って搬送される原稿の他方の面の画像を読み取ってその画像に対応するアナログの読取信号を出力する第２画像読取部と、
上記第２画像読取部の複数チャンネルのうちの１つとしての第１チャンネルと、上記第１画像読取部の１つのチャンネルとを切り換えて上記アナログフロントエンド部に接続する第１切り換え部と、
を備え、
上記第２画像読取部の複数のチャンネルのうち、上記第１チャンネルを除く各チャンネルは、上記アナログフロントエンド部に接続され、
更に、
上記第１チャンネルを上記第１切り換え部を介して上記アナログフロントエンド部に接続し、かつ、上記第２画像読取部に上記読取信号の出力を指示する制御と、上記第１画像読取部の上記チャンネルを上記第１切り換え部を介して上記アナログフロントエンド部に接続し、かつ、上記第１画像読取部に上記読取信号の出力を指示する制御とを、交互に実行する第１制御部を、
備えたことを特徴とする画像読取装置。
【請求項２】
上記原稿の他方の面の画像のみを読み取る片面読取モードが設定可能で、
当該片面読取モードの設定時には、上記第１制御部は、上記第１チャンネルを上記第１切り換え部を介して上記アナログフロントエンド部に接続し、かつ、上記第２画像読取部に上記読取信号の出力を指示する制御を、繰り返し実行することを特徴とする請求項１記載の画像読取装置。
【請求項３】
複数のチャンネルからのアナログの読取信号をＡ／Ｄ変換可能なアナログフロントエンド部と、
搬送経路に沿って搬送される原稿の一方の面の画像を読み取ってその画像に対応するアナログの読取信号を１つのチャンネルから出力する第１画像読取部と、
上記アナログフロントエンド部がＡ／Ｄ変換可能なチャンネル数と同数のチャンネルを有し、そのチャンネル毎に上記搬送経路に沿って搬送される原稿の他方の面の画像を読み取ってその画像に対応するアナログの読取信号を出力する第２画像読取部と、
上記第２画像読取部の複数チャンネルのうちの２つとしての第１チャンネル及び第２チャンネルを切り換えて上記アナログフロントエンド部に接続する第２切り換え部と、
を備え、
上記第１画像読取部の１つのチャンネルと、上記第２画像読取部の複数のチャンネルのうち上記第１チャンネル及び上記第２チャンネルを除く各チャンネルとは、上記アナログフロントエンド部に接続され、
更に、
上記第１チャンネルを上記第２切り換え部を介して上記アナログフロントエンド部に接続し、かつ、上記第２画像読取部に上記読取信号の出力を指示する制御と、上記第２チャンネルを上記第２切り換え部を介して上記アナログフロントエンド部に接続し、かつ、上記第２画像読取部に上記読取信号の出力を指示する制御とを、交互に実行し、上記第２画像読取部に対する上記２回の読取信号出力指示の間に、上記第１画像読取部に対して上記読取信号の出力を１回指示する第２制御部を、
備え、
上記第２画像読取部に対する上記２回の読取信号出力指示によって、上記読取信号が上記アナログフロントエンド部によって２回Ａ／Ｄ変換されたチャンネルに対しては、変換結果の一方を破棄することを特徴とする画像読取装置。
【請求項４】
上記第１チャンネルと、上記第１画像読取部の１つのチャンネルとを切り換えて上記アナログフロントエンド部に接続する第１切り換え部を、
更に備え、
上記原稿の他方の面の画像のみを読み取る片面読取モードが設定可能で、
当該片面読取モードの設定時には、上記第２制御部は、上記第１チャンネルを上記第１切り換え部を介して上記アナログフロントエンド部に接続し、かつ、上記第２チャンネルを上記第２切り換え部を介して上記アナログフロントエンド部に接続し、かつ、上記第２画像読取部に上記読取信号の出力を指示する制御を、繰り返し実行することを特徴とする請求項１記載の画像読取装置。
【請求項５】
上記第２画像読取部は、上記他方の面の画像を読み取るために原稿に光を照射する光源を備え、
上記第２制御部は、上記２回の読取信号出力指示のうち、先の読取信号出力指示の直前に当該読取信号出力指示に応じた上記読取信号出力のために上記光源に光を照射させ、上記先の読取信号出力指示の直後にその次の読取信号出力指示に応じた上記読取信号出力のために上記光源に光を照射させることを特徴とする請求項３または４記載の画像読取装置。
【請求項６】
上記光源は複数の色に対応してそれぞれ設けられ、
上記第２制御部は、上記２回の読取信号出力指示に対して同じ色に対応する上記光源に光を照射させる制御を、各色毎に順次実行することを特徴とする請求項５記載の画像読取装置。
【発明の詳細な説明】
【技術分野】
【０００１】
本発明は、原稿の画像を読み取る画像読取装置に関し、詳しくは、搬送経路に沿って搬送される原稿の一方の面の画像を読み取ってその画像に対応するアナログの読取信号を出力する第１画像読取部と、上記搬送経路に沿って搬送される上記原稿の他方の面の画像を読み取ってその画像に対応するアナログの読取信号を出力する第２画像読取部とを備えた画像読取装置に関する。
【背景技術】
【０００２】
従来より、スキャナ，複写機，ファクシミリ装置等の機器には、原稿の画像を読み取る画像読取装置が適用されている。この種の画像読取装置で原稿の表裏両面の画像を読み取る構成としては、原稿の搬送経路を工夫して原稿を反転させることによって１つの画像読取部により表裏両面の画像を読み取る構成も提案されているが、近年、２つの画像読取部により表裏両面の画像を同時に読み取る構成も提案されている。
【０００３】
例えば、搬送経路に沿って搬送される原稿の一方の面の画像を読み取ってその画像に対応するアナログの読取信号を出力する第１画像読取部と、上記搬送経路に沿って搬送される上記原稿の他方の面の画像を読み取ってその画像に対応するアナログの読取信号を出力する第２画像読取部とを備えた画像読取装置では、上記第１画像読取部による上記一方の面の画像読取動作と、上記第２画像読取部による上記他方の面の画像読取動作とを並行して実行でき、読取速度を向上させることができる。また、この種の画像読取装置では、第１画像読取部，第２画像読取部をそれぞれ別個のアナログフロントエンド（ＡＦＥ）に接続して、各画像読取部が出力したアナログの読取信号を個々にデジタル信号に変換している（例えば、特許文献１参照）。
【先行技術文献】
【特許文献】
【０００４】
【特許文献１】特開２００７−２８１７１８号公報
【発明の概要】
【発明が解決しようとする課題】
【０００５】
ところが、上記特許文献１記載の画像読取装置では、第１画像読取部，第２画像読取部をそれぞれ別個のＡＦＥに接続しているので、装置の製造コストが上昇してしまう。そこで、本発明は、搬送経路に沿って搬送される原稿の一方の面の画像を読み取ってその画像に対応するアナログの読取信号を出力する第１画像読取部と、上記搬送経路に沿って搬送される上記原稿の他方の面の画像を読み取ってその画像に対応するアナログの読取信号を出力する第２画像読取部とを備えた画像読取装置において、各画像読取部からの読取信号をＡ／Ｄ変換可能なアナログフロントエンド部を削減することによって装置の製造コストを低減可能とすることを目的としてなされた。
【課題を解決するための手段】
【０００６】
上記目的を達するためになされた本発明の画像読取装置は、複数のチャンネルからのアナログの読取信号をＡ／Ｄ変換可能なアナログフロントエンド部と、搬送経路に沿って搬送される原稿の一方の面の画像を読み取ってその画像に対応するアナログの読取信号を１つのチャンネルから出力する第１画像読取部と、上記アナログフロントエンド部がＡ／Ｄ変換可能なチャンネル数と同数のチャンネルを有し、そのチャンネル毎に上記搬送経路に沿って搬送される原稿の他方の面の画像を読み取ってその画像に対応するアナログの読取信号を出力する第２画像読取部と、上記第２画像読取部の複数チャンネルのうちの１つとしての第１チャンネルと、上記第１画像読取部の１つのチャンネルとを切り換えて上記アナログフロントエンド部に接続する第１切り換え部と、を備え、上記第２画像読取部の複数のチャンネルのうち、上記第１チャンネルを除く各チャンネルは、上記アナログフロントエンド部に接続され、更に、上記第１チャンネルを上記第１切り換え部を介して上記アナログフロントエンド部に接続し、かつ、上記第２画像読取部に上記読取信号の出力を指示する制御と、上記第１画像読取部の上記チャンネルを上記第１切り換え部を介して上記アナログフロントエンド部に接続し、かつ、上記第１画像読取部に上記読取信号の出力を指示する制御とを、交互に実行する第１制御部を、備えたことを特徴としている。
【０００７】
このように構成された本発明の画像読取装置では、第１画像読取部は、搬送経路に沿って搬送される原稿の一方の面の画像を読み取ってその画像に対応するアナログの読取信号を１つのチャンネルから出力する。また、第２画像読取部は、上記搬送経路に沿って搬送される原稿の他方の面の画像を読み取ってその画像に対応するアナログの読取信号を出力する。ここで、第２画像読取部は、アナログフロントエンド部がＡ／Ｄ変換可能なチャンネル数と同数のチャンネルを有し、そのチャンネル毎に上記読取信号を出力する。そして、その第２画像読取部の複数チャンネルのうち、第１チャンネルを除く各チャンネルは上記アナログフロントエンド部に接続され、各チャンネルからの上記読取信号はそのアナログフロントエンド部によってＡ／Ｄ変換される。
【０００８】
また、上記第１チャンネルと、上記第１画像読取部の１つのチャンネルとは、第１切り換え部によって切り換えて上記アナログフロントエンド部に接続される。そこで、第１制御部は、上記第１チャンネルを上記第１切り換え部を介して上記アナログフロントエンド部に接続し、かつ、上記第２画像読取部に上記読取信号の出力を指示する制御（以下制御Ａともいう）と、上記第１画像読取部の上記チャンネルを上記第１切り換え部を介して上記アナログフロントエンド部に接続し、かつ、上記第１画像読取部に上記読取信号の出力を指示する制御（以下制御Ｂともいう）とを、交互に実行する。
【０００９】
このため、制御Ａの実行時には、上記第２画像読取部の各チャンネルが全て上記アナログフロントエンド部に接続され、上記第２画像読取部に上記読取信号の出力が指示されることによって上記第２画像読取部からの全ての上記読取信号がＡ／Ｄ変換される。また、制御Ｂの実行時には、上記第１画像読取部の上記チャンネルが上記アナログフロントエンド部に接続され、上記第１画像読取部に上記読取信号の出力が指示されることによって上記第１画像読取部からの全ての上記読取信号がＡ／Ｄ変換される。本発明では、このような制御Ａと制御Ｂとが交互に実行されるので、少ないアナログフロントエンド部によって原稿の両面の画像を読み取ってその読取信号をＡ／Ｄ変換することができ、装置の製造コストを良好に低減することができる。
【００１０】
なお、本発明において、上記原稿の他方の面の画像のみを読み取る片面読取モードが設定可能で、当該片面読取モードの設定時には、上記第１制御部は、上記第１チャンネルを上記第１切り換え部を介して上記アナログフロントエンド部に接続し、かつ、上記第２画像読取部に上記読取信号の出力を指示する制御を、繰り返し実行してもよい。
【００１１】
この場合、上記原稿の他方の面の画像のみを読み取る片面読取モードの設定時には、上記第１制御部は、上記第１チャンネルを上記第１切り換え部を介して上記アナログフロントエンド部に接続し、かつ、上記第２画像読取部に上記読取信号の出力を指示する制御（すなわち上記制御Ａ）を繰り返し実行する。このため、上記他方の面の画像のみを上記第２画像読取部を介して読み取る処理が良好に実行できる。
【００１２】
また、上記目的を達するためになされた本発明の画像読取装置は、複数のチャンネルからのアナログの読取信号をＡ／Ｄ変換可能なアナログフロントエンド部と、搬送経路に沿って搬送される原稿の一方の面の画像を読み取ってその画像に対応するアナログの読取信号を１つのチャンネルから出力する第１画像読取部と、上記アナログフロントエンド部がＡ／Ｄ変換可能なチャンネル数と同数のチャンネルを有し、そのチャンネル毎に上記搬送経路に沿って搬送される原稿の他方の面の画像を読み取ってその画像に対応するアナログの読取信号を出力する第２画像読取部と、上記第２画像読取部の複数チャンネルのうちの２つとしての第１チャンネル及び第２チャンネルを切り換えて上記アナログフロントエンド部に接続する第２切り換え部と、を備え、上記第１画像読取部の１つのチャンネルと、上記第２画像読取部の複数のチャンネルのうち上記第１チャンネル及び上記第２チャンネルを除く各チャンネルとは、上記アナログフロントエンド部に接続され、更に、上記第１チャンネルを上記第２切り換え部を介して上記アナログフロントエンド部に接続し、かつ、上記第２画像読取部に上記読取信号の出力を指示する制御と、上記第２チャンネルを上記第２切り換え部を介して上記アナログフロントエンド部に接続し、かつ、上記第２画像読取部に上記読取信号の出力を指示する制御とを、交互に実行し、上記第２画像読取部に対する上記２回の読取信号出力指示の間に、上記第１画像読取部に対して上記読取信号の出力を１回指示する第２制御部を、備え、上記第２画像読取部に対する上記２回の読取信号出力指示によって、上記読取信号が上記アナログフロントエンド部によって２回Ａ／Ｄ変換されたチャンネルに対しては、変換結果の一方を破棄するものであってもよい。
【００１３】
このように構成された本発明の画像読取装置では、第１画像読取部は、搬送経路に沿って搬送される原稿の一方の面の画像を読み取ってその画像に対応するアナログの読取信号を１つのチャンネルから出力する。また、第２画像読取部は、上記搬送経路に沿って搬送される原稿の他方の面の画像を読み取ってその画像に対応するアナログの読取信号を出力する。ここで、第２画像読取部は、アナログフロントエンド部がＡ／Ｄ変換可能なチャンネル数と同数のチャンネルを有し、そのチャンネル毎に上記読取信号を出力する。そして、その第２画像読取部の複数チャンネルのうち、第１チャンネル及び第２チャンネルを除く各チャンネルと、上記第１画像読取部の１つのチャンネルとは、上記アナログフロントエンド部に接続され、各チャンネルからの上記読取信号はそのアナログフロントエンド部によってＡ／Ｄ変換される。
【００１４】
また、上記第１チャンネル及び第２チャンネルは、第２切り換え部によって切り換えて上記アナログフロントエンド部に接続される。そこで、第２制御部は、上記第１チャンネルを上記第２切り換え部を介して上記アナログフロントエンド部に接続し、かつ、上記第２画像読取部に上記読取信号の出力を指示する制御（以下制御Ｃともいう）と、上記第２チャンネルを上記第２切り換え部を介して上記アナログフロントエンド部に接続し、かつ、上記第２画像読取部に上記読取信号の出力を指示する制御（以下制御Ｄともいう）とを、交互に実行し、上記第２画像読取部に対する上記２回の読取信号出力指示の間に、上記第１画像読取部に対して上記読取信号の出力を１回指示する。
【００１５】
このため、制御Ｃの実行時には、上記第１画像読取部の１つのチャンネルと上記第２画像読取部のチャンネルのうち第２チャンネルを除く各チャンネルとが上記アナログフロントエンド部に接続され、上記第２画像読取部に上記読取信号の出力が指示されることによって、上記第２画像読取部のチャンネルのうち上記第２チャンネルを除く各チャンネルの上記読取信号がＡ／Ｄ変換される。また、制御Ｄの実行時には、上記第１画像読取部の１つのチャンネルと上記第２画像読取部のチャンネルのうち第１チャンネルを除く各チャンネルとが上記アナログフロントエンド部に接続され、上記第２画像読取部に上記読取信号の出力が指示されることによって、上記第２画像読取部のチャンネルのうち上記第１チャンネルを除く各チャンネルの上記読取信号がＡ／Ｄ変換される。
【００１６】
こうして、制御Ｃ，Ｄが実行されることにより、上記第２画像読取部からの全ての上記読取信号がＡ／Ｄ変換される。なお、上記第２画像読取部のチャンネルのうち上記第１チャンネル，第２チャンネルを除く各チャンネルの読取信号は、上記第２画像読取部に対する上記２回の読取信号出力指示によって、上記アナログフロントエンド部に２回Ａ／Ｄ変換されるが、それらの変換結果の一方は破棄される。
【００１７】
また、上記のように、上記第１画像読取部の上記１つのチャンネルは常時上記アナログフロントエンド部に接続されているので、上記第２制御部は、上記制御Ｃ，Ｄにより上記第２画像読取部に対して読取信号の出力を２回指示する間に、上記第１画像読取部に対して上記読取信号の出力を１回指示する。このため、本発明でも、少ないアナログフロントエンド部によって原稿の両面の画像を読み取ってその読取信号をＡ／Ｄ変換することができ、装置の製造コストを良好に低減することができる。なお、この場合、上記第１画像読取部に対して上記読取信号の出力が１回指示される間に、上記第２画像読取部に対しては上記読取信号の出力が２回指示されることになるが、チャンネル数の多い上記第２画像読取部は上記読取信号の出力を短い間隔で指示することができる場合が多く、その場合には全体としての読取速度が低下することもない。
【００１８】
そして、この場合、上記第１チャンネルと、上記第１画像読取部の１つのチャンネルとを切り換えて上記アナログフロントエンド部に接続する第１切り換え部を、更に備え、上記原稿の他方の面の画像のみを読み取る片面読取モードが設定可能で、当該片面読取モードの設定時には、上記第２制御部は、上記第１チャンネルを上記第１切り換え部を介して上記アナログフロントエンド部に接続し、かつ、上記第２チャンネルを上記第２切り換え部を介して上記アナログフロントエンド部に接続し、かつ、上記第２画像読取部に上記読取信号の出力を指示する制御を、繰り返し実行してもよい。
【００１９】
この場合、上記第１チャンネルを上記第１切り換え部を介して上記アナログフロントエンド部に接続し、かつ、上記第２チャンネルを上記第２切り換え部を介して上記アナログフロントエンド部に接続すれば、上記第２画像読取部の各チャンネルが全て上記アナログフロントエンド部に接続される。そこで、上記原稿の他方の面の画像のみを読み取る片面読取モードの設定時には、上記第２制御部がそのような接続を行って上記第２画像読取部に上記読取信号の出力を指示する制御を繰り返すことで、上記他方の面の画像のみを上記第２画像読取部を介して読み取る処理が良好に実行できる。
【００２０】
また、本発明において、上記第２画像読取部は、上記他方の面の画像を読み取るために原稿に光を照射する光源を備え、上記第２制御部は、上記２回の読取信号出力指示のうち、先の読取信号出力指示の直前に当該読取信号出力指示に応じた上記読取信号出力のために上記光源に光を照射させ、上記先の読取信号出力指示の直後にその次の読取信号出力指示に応じた上記読取信号出力のために上記光源に光を照射させてもよい。
【００２１】
前述のように、本発明では、制御Ｃ，Ｄにより読取信号の出力を２回指示することによって上記第２画像読取部からの全ての上記読取信号をＡ／Ｄ変換しているが、両制御によって読み取られる原稿上のラインは同一ライン若しくは極めて近接したラインであることが、上記他方の面の画像を正確に読み取る上で望ましい。上記のように光源による光の照射を制御した場合、先の読取信号出力のための光の照射とその次の読取信号出力のための光の照射とが、先の読取信号出力指示を挟んで近接配置されるので、各読取信号に対応する原稿上のラインが近接し、一層正確に上記他方の面の画像を読み取ることができる。
【００２２】
そして、その場合、上記光源は複数の色に対応してそれぞれ設けられ、上記第２制御部は、上記２回の読取信号出力指示に対して同じ色に対応する上記光源に光を照射させる制御を、各色毎に順次実行してもよい。この場合、同一色に対応する画像の読取が原稿上の近接したラインに対して実行されるので、複数の色からなる原稿の上記他方の面の画像を一層正確に読み取ることができる。
【図面の簡単な説明】
【００２３】
【図１】本発明が適用された画像読取装置の構成を模式的に表す断面図である。
【図２】その画像読取装置の制御系の構成を表すブロック図である。
【図３】その制御系のＡＦＥの構成を詳細に表すブロック図（Ａ）、及び、その動作を表す説明図（Ｂ）である。
【図４】その制御系の一方のＣＩＳの構成を表す模式図（Ａ）、その動作を表す説明図（Ｂ）、及び、その動作に対応したデジタル信号を表す説明図（Ｃ）である。
【図５】その制御系による両面読取モードの処理を表すタイムチャートである。
【図６】その両面読取モードの他の形態を表すタイムチャートである。
【図７】その両面読取モードの更に他の形態を表すタイムチャートである。
【発明を実施するための形態】
【００２４】
［画像読取装置の全体の構成］
次に、本発明の実施の形態を図面と共に説明する。図１は、本発明が適用された画像読取装置１０の構成を模式的に表す断面図である。なお、この画像読取装置１０は、図示省略した画像形成部を内蔵する複合機の基体２０の上部に設けられ、その基体２０の上面には原稿カバー３０が開閉可能に設けられている。
【００２５】
図１に示すように、基体２０の上端面には、画像読取装置１０がフラットベットスキャナとして使用される場合に原稿（図示省略）が載置されるガラス製の原稿台２１が設けられている。そして、原稿カバー３０は、原稿台２１の表面に閉じられることによってその原稿台２１に載置された原稿を覆うように開閉自在に取り付けられている。
【００２６】
また、この原稿カバー３０は、ＡＤＦ（Auto Document Feeder）を備える原稿カバーとして構成され、給紙トレイ１１０に載置された原稿を搬送経路に沿って搬送しＡＤＦとして機能する搬送部１００と、搬送経路を搬送される原稿の表面と裏面とについて並行して画像読み取りを行うことが可能な第１読取デバイス２１０，第２読取デバイス２３０とを備えている。
【００２７】
搬送部１００は、給紙トレイ１１０に載置された原稿を、搬送経路（図１の点線）に沿って排紙トレイ１３０まで搬送する搬送ローラ１２１〜１２９を備えている。また、この搬送経路には、上流側読取位置と下流側読取位置とが設けられており、原稿の裏面（一方の面に相当）の画像読み取りを行うための第１読取デバイス２１０（第１画像読取部の一例）が上流側読取位置に対応して設けられており、更に、上流側読取位置を通過する原稿を第１読取デバイス２１０の読取面に押圧する裏面用原稿押え２２０が設けられている。また、原稿台２１に設けられた、原稿の表面（他方の面に相当）の画像読み取りのための第２読取デバイス２３０（第２画像読取部の一例）が下流側読取位置に対応する位置に移動可能に構成されており、下流側読取位置を通過する原稿を第２読取デバイス２３０の読取面に押圧する表面用原稿押え２４０が設けられている。
【００２８】
更に、この搬送経路上には、対応する位置を搬送中の原稿の有無を検知するための原稿センサとして、Ｆセンサ３１０，ＲＢセンサ３２０，Ｒセンサ３３０が設けられている。また、第２読取デバイス２３０は、モータ３５１によって回転駆動される駆動プーリ３５３と従動プーリ３５５との間に架設された無端ベルト３５７に固定されており、モータ３５１の回転に応じて原稿台２１の下方を副走査方向（左右方向）に移動可能である。
【００２９】
［画像読取装置の制御系の構成］
次に、図２は、画像読取装置１０の制御系の構成を表すブロック図である。図２に示すように、第１読取デバイス２１０は、上記上流側読取位置を通過する原稿の裏面に光を照射する裏面用光源部２１１（裏面用ＣＩＳ光源部）と、その光が上記裏面に反射された反射光を受光する裏面用ＣＩＳ２１２とを備えている。同様に、第２読取デバイス２３０は、上記下流側読取位置を通過する原稿の表面に光を照射する表面用光源部２３１（表面用ＣＩＳ光源部）と、その光が上記表面に反射された反射光を受光する表面用ＣＩＳ２３２とを備えている。
【００３０】
表面用ＣＩＳ２３２は、表面用ＳＰ信号（ＳＰ＿ＦＳ）が入力されたとき、表面用ＣＬＫ信号（ＣＬＫ＿ＦＳ）に同期して、主走査方向の１ライン分の画像に対応するアナログの読取信号ＡＯ１＿ＦＳ，ＡＯ２＿ＦＳ，ＡＯ３＿ＦＳを、３つの端子ＡＯ１，ＡＯ２（第２チャンネルの一例），ＡＯ３（第１チャンネルの一例）から出力する３チャンネルのＣＩＳである。一方、裏面用ＣＩＳ２１２は、裏面用ＳＰ信号（ＳＰ＿ＢＳ）が入力されたとき、裏面用ＣＬＫ信号（ＣＬＫ＿ＢＳ）に同期して、主走査方向１ライン分の画像に対応するアナログの読取信号ＡＯ＿ＢＳを、１つの端子ＡＯから出力する１チャンネルのＣＩＳである。なお、表面用ＣＩＳ２３２の構成については後に詳述する。
【００３１】
裏面用ＣＩＳ２１２から出力された読取信号ＡＯ＿ＢＳは、表面用ＣＩＳ２３２から出力された読取信号ＡＯ３＿ＦＳと共に、第１切り換え部の一例としてのアナログスイッチ（アナログＳＷ）３８７へ入力されている。また、読取信号ＡＯ３＿ＦＳは、第２切り換え部の一例としてのアナログスイッチ３８９へも、同じく表面用ＣＩＳ２３２から出力された読取信号ＡＯ２＿ＦＳと共に入力されている。更に、表面用ＣＩＳ２３２から出力された読取信号ＡＯ１＿ＦＳは、ＡＦＥ３９０（アナログフロントエンド部の一例）の端子ＡＩ１に入力されている。
【００３２】
アナログスイッチ３８７は、入力された読取信号ＡＯ＿ＢＳまたはＡＯ３＿ＦＳのうちいずれか一方をＡＦＥ３９０の端子ＡＩ３に入力し、アナログスイッチ３８９は、入力された読取信号ＡＯ２＿ＦＳまたはＡＯ１＿ＦＳのうちいずれか一方をＡＦＥ３９０の端子ＡＩ２に入力する。ＡＦＥ３９０は、次のように構成されて、端子ＡＩ１，ＡＩ２，ＡＩ３に入力された３チャンネルの読取信号を順次デジタル信号ＤＯに変換して出力する。
【００３３】
図３（Ａ）は、ＡＦＥ３９０の構成を詳細に表すブロック図である。図３（Ａ）に示すように、ＡＦＥ３９０は、端子ＡＩ１〜ＡＩ３に対して個々に設けられた３つのサンプルホールド回路（Ｓ／Ｈ）３９１，プログラマブルゲインアンプ（ＰＧＡ）３９３と、各端子ＡＩ１〜ＡＩ３に対して共通に設けられたマルチプレクサ（ＭＵＸ）３９５，ＡＤ変換器（ＡＤＣ）３９７，出力制御部３９９とを備えている。
【００３４】
各端子ＡＩ１〜ＡＩ３に入力される読取信号は、ＣＩＳ２１２，２３２に内蔵されたアンプで増幅される影響などにより、図３（Ｂ）にＡＩ１−３として例示するように一定の時定数をもって遅延された波状の波形を呈する。そこで、３つのサンプルホールド回路３９１は、その波形の頂点近傍で各画素からの受光量を最も良好に表す値が取得できるタイミングで出力されるサンプルタイミング信号ＶＳＭＰ（図２参照）に同期して、各端子ＡＩ１〜ＡＩ３に入力される読取信号の値（アナログ値）を個々に取得する。こうして取得されたアナログ値は、ぞれぞれプログラマブルゲインアンプ３９３を介してマルチプレクサ３９５に入力され、ＡＤ変換器３９７に順次入力される。すると、ＡＤ変換器３９７は、各端子ＡＩ１〜ＡＩ３からの入力に応じて取得された上記各アナログ値をＡＤ変換メインクロックＭＣＬＫに同期してデジタル値に変換し、出力制御部３９９を介してデジタル信号ＤＯとして出力する。
【００３５】
このため、図３（Ｂ）に例示するように、各端子ＡＩ１〜ＡＩ３に同様のタイミングで読取信号が入力され、共通のサンプルタイミング信号ＶＳＭＰにより同時に上記アナログ値が取得されても、デジタル信号ＤＯとしては、各端子ＡＩ１，ＡＩ２，ＡＩ３への入力に対応するデジタル値がＡＤ変換メインクロックＭＣＬＫに同期して順次出力される。
【００３６】
また、表面用ＣＩＳ２３２は、図４（Ａ）に模式的に示すように、１ライン分の画素（例えば５１２０画素）に対応する個数の受光素子を、チャンネルｃｈ１〜ｃｈ３からなる３つのチャンネルに分割して有している。そして、表面用光源部２３１が光を照射している間に受光した原稿からの反射光に応じた電荷を各受光素子が蓄積し、表面用ＳＰ信号（ＳＰ＿ＦＳ）が入力されると、当該蓄積された電荷が周知のシフトレジスタ（図示省略）に落とされる。
【００３７】
すると、図４（Ｂ）に示すように、シフトレジスタは各画素に対応する電荷を順次出力し、その電荷がアンプ等を介してチャンネルｃｈ１，ｃｈ２，ｃｈ３毎に読取信号ＡＯ１＿ＦＳ，ＡＯ２＿ＦＳ，ＡＯ３＿ＦＳとして出力される。このため、例えば第１〜１６００画素に対応する読取信号ＡＯ１＿ＦＳは、第１画素に対応する信号から順次出力され、例えば第１６０１〜３３９２画素に対応する読取信号ＡＯ２＿ＦＳは、第１６０１画素に対応する信号から順次出力され、例えば第３３９３〜５１２０画素に対応する読取信号ＡＯ３＿ＦＳは、第３３９３画素に対応する信号から順次出力される。
【００３８】
そして、仮に、アナログスイッチ３８９が読取信号ＡＯ２＿ＦＳの側に、アナログスイッチ３８７が読取信号ＡＯ３＿ＦＳの側に、それぞれ切り換えられていた場合は、読取信号ＡＯ１＿ＦＳ，ＡＯ２＿ＦＳ，ＡＯ３＿ＦＳが端子ＡＩ１，ＡＩ２，ＡＩ３にそれぞれ入力され、図４（Ｃ）に例示するようなデジタル信号ＤＯがＡＦＥ３９０から出力される。なお、図４（Ｃ）において、枠内の数字はデータに対応する画素位置を表している。
【００３９】
図２に戻って、ＡＦＥ３９０から出力されたデジタル信号ＤＯは、ＡＳＩＣ４００に設けられた裏面用デジタル信号処理部４０１，表面用デジタル信号処理部４０３に入力される。また、ＡＳＩＣ４００は、前述の表面用ＳＰ信号，表面用ＣＬＫ信号，裏面用ＳＰ信号，裏面用ＣＬＫ信号を出力する第１制御部及び第２制御部の一例としてのタイミング生成回路４０５を備えている。このタイミング生成回路４０５は、アナログスイッチ３８７を介してＡＦＥ３９０に入力される読取信号を切り換えるためのアナログＳＷ切り換え信号ＳＥＬ１、アナログスイッチ３８９を介してＡＦＥ３９０に入力される読取信号を切り換えるためのアナログＳＷ切り換え信号ＳＥＬ２、及び前述のサンプルタイミング信号ＶＳＭＰ，ＡＤ変換メインクロックＭＣＬＫも出力している。
【００４０】
裏面用デジタル信号処理部４０１は、タイミング生成回路４０５の上記各信号の出力状態をそのタイミング生成回路４０５から入力されることにより、デジタル信号ＤＯのうち、原稿の裏面に関する信号を処理する。同様に、表面用デジタル信号処理部４０３は、タイミング生成回路４０５の上記各信号の出力状態をそのタイミング生成回路４０５から入力されることにより、デジタル信号ＤＯのうち、原稿の表面に関する信号を処理する。更に、タイミング生成回路４０５は、表面用光源部２３１を制御する表面用光源制御回路４３０に表面用ＬＥＤ制御信号を、裏面用光源部２１１を制御する裏面用光源制御回路４１０に裏面用ＬＥＤ制御信号を、それぞれ出力している。
【００４１】
［その制御系における制御］
このように構成された画像読取装置１０では、搬送部１００によって原稿を搬送しながら第２読取デバイス２３０を介して原稿の表面のみの画像を読み取る場合、若しくは、モータ３５１により第２読取デバイス２３０を上記副走査方向に移動させながら原稿の片面の画像を読み取る場合は、次のような制御がなされる。なお、このようないわゆる片面読取モードは、図示省略した操作パネル及びＦセンサ３１０の検出状態に基づいて設定される。この場合、前述のように、タイミング生成回路４０５は、アナログＳＷ切り換え信号ＳＥＬ２をＬレベルに、ＳＥＬ１をＨレベルに切り換えることにより、アナログスイッチ３８９を読取信号ＡＯ２＿ＦＳの側に、アナログスイッチ３８７を読取信号ＡＯ３＿ＦＳの側に、それぞれ切り換える。
【００４２】
すると、前述のように、第２読取デバイス２３０からの全ての読取信号ＡＯ１＿ＦＳ，ＡＯ２＿ＦＳ，ＡＯ３＿ＦＳがＡＦＥ３９０に常時入力される。その状態で、読取信号ＡＯ１＿ＦＳ，ＡＯ２＿ＦＳ，ＡＯ３＿ＦＳの出力が終了する毎にタイミング生成回路４０５が表面用ＳＰ信号を出力してその読取信号ＡＯ１＿ＦＳ，ＡＯ２＿ＦＳ，ＡＯ３＿ＦＳの出力を第２読取デバイス２３０に繰り返させることで、上記搬送される原稿の表面側または原稿台２１に載置された原稿の画像を迅速に読み取ることができる。
【００４３】
一方、搬送部１００によって原稿を搬送しながら第１読取デバイス２１０，第２読取デバイス２３０を介してその原稿の両面の画像を読み取る両面読取モードでは、タイミング生成回路４０５は次のような制御を実行する。すなわち、アナログＳＷ切り換え信号ＳＥＬ２はＬレベルに常時切り換えておく。これによって、アナログスイッチ３８９は読取信号ＡＯ２＿ＦＳの側に切り換えられ、第２読取デバイス２３０からの読取信号ＡＯ１＿ＦＳ，ＡＯ２＿ＦＳがＡＦＥ３９０に常時入力される。そして、その状態でタイミング生成回路４０５は、アナログＳＷ切り換え信号ＳＥＬ１を図５に示すようにＨレベルに切り換えて、表面用ＳＰ信号を出力する。すると、上記片面読取モードの場合と同様に、第２読取デバイス２３０からの全ての読取信号ＡＯ１＿ＦＳ，ＡＯ２＿ＦＳ，ＡＯ３＿ＦＳがＡＦＥ３９０に入力される。
【００４４】
続いて、読取信号ＡＯ１＿ＦＳ，ＡＯ２＿ＦＳ，ＡＯ３＿ＦＳの出力が終了すると、タイミング生成回路４０５は、アナログＳＷ切り換え信号ＳＥＬ１をＬレベルに切り換え、裏面用ＳＰ信号を出力する。すると、アナログスイッチ３８７が読取信号ＡＯ＿ＢＳの側に切り換えられ、上記裏面用ＳＰ信号に応じて第１読取デバイス２１０から出力される読取信号ＡＯ＿ＢＳがＡＦＥ３９０に入力される。そして、読取信号ＡＯ＿ＢＳの出力終了後、タイミング生成回路４０５は前述のようにアナログＳＷ切り換え信号ＳＥＬ１をＨレベルに切り換えて表面用ＳＰ信号を出力し、以下この処理を繰り返し実行する。この制御によって、本実施の形態では、原稿の両面の画像を読み取って対応する読取信号ＡＯ１＿ＦＳ，ＡＯ２＿ＦＳ，ＡＯ３＿ＦＳ，ＡＯ＿ＢＳを１つのＡＦＥ３９０によってＡ／Ｄ変換することができ、装置の製造コストを良好に低減することができる。
【００４５】
［上記制御の変形例］
なお、上記両面読取モードの制御は、次のような制御であってもよい。画像読取装置１０は、以下に説明する変形例の制御と前述の制御とを選択的に実行可能であってもよく、いずれか一方のみを実行可能であってもよい。
【００４６】
この制御では、タイミング生成回路４０５は、アナログＳＷ切り換え信号ＳＥＬ１をＬレベルに常時切り換えておく。これによって、アナログスイッチ３８７は読取信号ＡＯ＿ＢＳの側に切り換えられ、第１読取デバイス２１０からの読取信号ＡＯ＿ＢＳは、ＡＦＥ３９０に常時入力される。そして、その状態でタイミング生成回路４０５は、アナログＳＷ切り換え信号ＳＥＬ２を図６に示すようにＬレベルに切り換えて、表面用ＳＰ信号と裏面用ＳＰ信号とを同時に出力する。すると、アナログスイッチ３８９が読取信号ＡＯ２＿ＦＳの側に切り換えられ、表面用ＳＰ信号に応じて第２読取デバイス２３０から出力される信号のうち読取信号ＡＯ１＿ＦＳ，ＡＯ２＿ＦＳと、裏面用ＳＰ信号に応じて第１読取デバイス２１０から出力されるＡＯ＿ＢＳとがＡＦＥ３９０に入力される。
【００４７】
続いて、読取信号ＡＯ１＿ＦＳ，ＡＯ２＿ＦＳの出力が終了すると、タイミング生成回路４０５は、アナログＳＷ切り換え信号ＳＥＬ２をＨレベルに切り換え、表面用ＳＰ信号のみを出力する。すると、アナログスイッチ３８９が読取信号ＡＯ３＿ＦＳの側に切り換えられ、上記表面用ＳＰ信号に応じて第２読取デバイス２３０から出力される信号のうち読取信号ＡＯ１＿ＦＳ，ＡＯ３＿ＦＳがＡＦＥ３９０に入力される。なお、裏面用ＣＩＳ２１２は、表面用ＣＩＳ２３２と同じ画素数に対応した読取信号を１つのチャンネルから出力するので、この時点では読取信号ＡＯ＿ＢＳの出力は終了していない。
【００４８】
そして、読取信号ＡＯ３＿ＦＳ，ＡＯ＿ＢＳの出力終了後、タイミング生成回路４０５は前述のようにアナログＳＷ切り換え信号ＳＥＬ２をＬレベルに切り換えて表面用ＳＰ信号及び裏面用ＳＰ信号を出力し、以下この処理を繰り返し実行する。この制御によって、本実施の形態では、原稿の両面の画像を読み取って対応する読取信号ＡＯ１＿ＦＳ，ＡＯ２＿ＦＳ，ＡＯ３＿ＦＳ，ＡＯ＿ＢＳを１つのＡＦＥ３９０によってＡ／Ｄ変換することができ、装置の製造コストを良好に低減することができる。
【００４９】
なお、この制御では、読取信号ＡＯ２＿ＦＳ，ＡＯ３＿ＦＳ，ＡＯ＿ＢＳがＡＦＥ３９０に１回入力される間に読取信号ＡＯ１＿ＦＳがＡＦＥ３９０に２回入力されるが、そのうち１回（例えば後の時点）の入力は、ＡＦＥ３９０の出力制御または表面用デジタル信号処理部４０３における処理の中で破棄される。また、前述のように、３チャンネルの読取信号ＡＯ１＿ＦＳ，ＡＯ２＿ＦＳ，ＡＯ３＿ＦＳの出力は、１チャンネルの読取信号ＡＯ＿ＢＳの出力よりも短時間で終了する場合があるので、この制御では読取速度を一層向上させることができる場合がある。
【００５０】
また、この制御では、原稿の表面画像に対応する読取信号のうち、有効なＡＯ１＿ＦＳ，ＡＯ２＿ＦＳとＡＯ３＿ＦＳとが異なる表面用ＳＰ信号に応じて出力される。このため、２回の表面用ＳＰ信号の出力と１回の裏面用ＳＰ信号の出力とがなされる１サイクル周期を３個組み合わせて１ライン周期とし、各１サイクル周期毎に異なる色の光を原稿に照射するいわゆるカラー読取の場合は、次のように光の照射タイミングを設定するとよい。
【００５１】
図７は、カラー読取の場合における、表面用光源部２３１が有するＲ（赤），Ｇ（緑），Ｂ（青）各色のＬＥＤの点灯タイミング（ＬＥＲ  Ｒ，ＬＥＤ  Ｇ，ＬＥＤ  Ｂ）と、読取信号ＡＯ１＿ＦＳ，ＡＯ２＿ＦＳ，ＡＯ３＿ＦＳの出力を例示する説明図である。図７に例示するように、カラー読取の場合、制御の都合上、各色のＬＥＤを表面用ＳＰ信号から次の表面用ＳＰ信号までの間点灯させ続けるいわゆるフル点灯を実施しない場合が多い。そこで、図７に示すように、１サイクル周期の１回目の表面用ＳＰ信号の直前と直後とに点灯タイミングを配置してもよい。
【００５２】
図７の例では、赤（Ｒ）の反射光に対応した読取信号ＡＯ１＿ＦＳ（以下、ＡＯ１Ｒという：他の信号も同様）とＡＯ２Ｒとを取得するために出力される表面用ＳＰ信号の直前のタイミングに、その赤の反射光に応じた電荷を表面用ＣＩＳ２３２に蓄積させるための点灯タイミングＬＥＤ  Ｒを配置している。そして、その表面用ＳＰ信号の直後にも点灯タイミングＬＥＤ  Ｒを配置し、その点灯タイミングの間に表面用ＣＩＳ２３２に蓄積された電荷は次の表面用ＳＰ信号に同期して、読取信号ＡＯ３Ｒを取得するために出力される。なお、前述のように、このとき読取信号ＡＯ１ＲもＡＦＥ３９０に入力されるが、その信号は前述のように破棄される。タイミング生成回路４０５は、表面用光源制御回路４３０を介して表面用光源部２３１を制御することにより、このようなＬＥＤの点灯制御を緑（Ｇ），青（Ｂ）に対しても同様に実行し、各色に対してその処理を繰り返す。
【００５３】
この結果、同一色に対する反射光が３チャンネルの表面用ＣＩＳ２３２によって読み取られる原稿上のラインは、ｃｈ１，ｃｈ２（図４参照）は同一ラインであるがｃｈ３のラインもそのラインに極めて近接し、色ずれ等の少ない画像を読み取ることができる。なお、このような制御は、モノクロ読取の場合にも同様に実行してもよい。例えば、表面用光源部２３１の点灯期間を短くし、１ライン周期の１回目の表面用ＳＰ信号の直前と直後とに点灯タイミングを配置すれば、ｃｈ１，ｃｈ２の読取ラインとｃｈ３の読取ラインとを近接させて画像を読み取ることができる。
【００５４】
なお、本発明は上記実施の形態に何等限定されるものではなく、本発明の要旨を逸脱しない範囲で種々の形態で実施することができる。例えば、第２画像読取部のチャンネル数は４以上であってもよく、その場合、第２画像読取部の複数のチャンネルがアナログフロントエンド部に直接接続されてもよい。また、本発明は、第２画像読取部を副走査方向に移動させながら原稿台に載置された原稿の画像を読み取るいわゆるＦＢ読取を実行しない画像読取装置にも同様に適用することができる。
【符号の説明】
【００５５】
１０…画像読取装置      ２０…基体              ２１…原稿台
３０…原稿カバー        １００…搬送部          ２１０…第１読取デバイス
２１１…裏面用光源部    ２１２…裏面用ＣＩＳ    ２３０…第２読取デバイス
２３１…表面用光源部    ２３２…表面用ＣＩＳ    ３８７，３８９…アナログスイッチ
３９０…ＡＦＥ          ４００…ＡＳＩＣ        ４０１…裏面用デジタル信号処理部
４０３…表面用デジタル信号処理部                ４０５…タイミング生成回路
４１０…裏面用光源制御回路                      ４３０…表面用光源制御回路
【図１】
2011217034.tif 000003
【図２】
2011217034.tif 000004
【図３】
2011217034.tif 000005
【図４】
2011217034.tif 000006
【図５】
2011217034.tif 000007
【図６】
2011217034.tif 000008
【図７】
2011217034.tif 000009